(57)【要約】【課題】発光素子の位置に変更が生じても、表示部ケースや表示パネルの形成に新たな成形金型を製造する必要がなく、コストダウンが可能であるとともに、デザインの統一性を保持する。【解決手段】各発光素子４，８の前面側に、発光表示部１２の全体に対応した開口部９ａを有する表示部ケース９を設けるとともに、表示部パネル９の前面側に透明材からなる表示パネル１０を設け、かつ表示部ケース９と表示パネル１０との間に、各発光素子４，８の位置に合わせて開孔部１１ａを有する遮光板１１を設け、発光表示部１２を形成する。【選択図】図１
2008203691.tif 000002
【特許請求の範囲】
【請求項１】
ケースの内部に電子機器本体部が収納されるとともに、ケースの内部に発光素子が前面側に実装されたプリント板が収納された電子機器において、ケースにおける各発光素子の前面側に設けられ、発光表示部全体に対応した開口部を有する表示部ケースと、透明材からなり、表示部ケースの前面側に設けられた表示パネルと、表示部ケースと表示パネルとの間に設けられ、各発光素子の位置に合わせて開孔部を有する遮光板とから構成された発光表示部を備えたことを特徴とする電子機器。
【請求項２】
ケースの内部に電子機器本体部が収納されるとともに、ケースの内部に発光素子が前面側に実装されたプリント板が収納された電子機器において、ケースにおける各発光素子の前面側に設けられ、発光表示部全体に対応した開口部を有する表示部ケースと、透明材からなり、表示部ケースの前面側に設けられた表示パネルと、表示部ケースと表示パネルとの間に設けられ、各発光素子の位置に合わせて開孔部を有する遮光板と、表示部ケースと遮光板との間に設けられ、各発光素子の位置に合わせて開孔部を有するとともに、隣接する発光素子の光を遮断する導光板とから構成された発光表示部を備えたことを特徴とする電子機器。
【発明の詳細な説明】
【技術分野】
【０００１】
この発明は、発光素子を用いて電子機器の動作状態や機能を表示する発光表示部を備えた電子機器に関するものである。
【背景技術】
【０００２】
図６（ａ），（ｂ）は従来の発光素子を用いた発光表示部を備えた電子機器の縦断側面図及び縦断正面図を示し、図７（ａ），（ｂ）は従来の電子機器の発光表示部の分解斜視図及び図６（ａ）のＡ部拡大図を示す。図において、１は内部に電子機器本体部２を内蔵するとともに、プリント板３を内蔵・保持したケースであり、ケース１は樹脂により形成され、プリント板３には発光素子４が前面側に実装され、ケース１における発光素子４の前面には発光素子４からの光をケース１の前面側に導く開孔部５ａが形成された表示部ケース５が設けられ、表示部ケース５の前面には表示パネル６が被せられ、発光表示部７が形成される。表示パネル６には動作状態や機能が文字や図柄で表記される。表示パネル６及び表示部ケース５は樹脂により形成され、内蔵するプリント板３の発光素子４の形状や位置に合わせて、専用の形状に成形されている。従って、発光素子４のレイアウトは決まっているので、表示部ケース５及び表示パネル６の形状も決まっている。また、表示パネル６には透明スモーク材が使用され、発光素子４の発光のみを際立たせて透過させるとともに、発光素子４自体は見えにくくしている。
【０００３】
なお、この出願の発明に関連する先行技術文献情報としては、次のものがある。
【特許文献１】実開平６−２３２８４号公報
【特許文献２】実開平６−３６１６２号公報
【特許文献３】特開２００３−１５５６２号公報
【特許文献４】特開２００３−２７９３８８号公報
【発明の開示】
【発明が解決しようとする課題】
【０００４】
ところで、樹脂により成形する表示部ケース５や表示パネル６は専用の成形金型が必要であるため、多量に生産されるプリント板３の発光素子４の種類や位置に合わせて、専用の成形金型を製作している。しかしながら、図８（ａ），（ｂ）に示すように、発光素子４の種類や位置が異なる異種プリント板３においては、小型発光素子４の他に通常発光素子８が設けられ、生産量が少ない場合、図８（ｃ）に示すように、一部の成形金型を新規に製作して、発光素子４，８の位置に合わせた表示部ケース５や表示パネル６を成形していた。しかし、しかし、この場合、生産量に対する金型費用が大きくなり、コストアップになった。又、生産量が少ない異種プリント板３用の表示部ケース５や表示パネル６の全部を新たな成形金型を用いて成形することは、コスト的に不可能であるので、樹脂以外の材料により製作することとなり、機種としてのデザインの統一性が保てず、機種の商品価値が低下した。
【０００５】
この発明は上記のような課題を解決するために成されたものであり、表示部ケースや表示パネルに汎用性を持たせることにより、表示部ケースや表示パネルの形成に新たな成形金型を製作する必要が無く、コストダウンが可能であるとともに、表示部ケースや表示パネルの形成を樹脂により形成することができ、デザインの統一性を保持して機種としての商品価値を高めることができる電子機器を得ることを目的とする。
【課題を解決するための手段】
【０００６】
この発明の請求項１に係る電子機器は、ケースの内部に電子機器本体部が収納されるとともに、ケースの内部に発光素子が前面側に実装されたプリント板が収納された電子機器において、ケースにおける各発光素子の前面側に設けられ、発光表示部全体に対応した開口部を有する表示部ケースと、透明材からなり、表示部ケースの前面側に設けられた表示パネルと、表示部ケースと表示パネルとの間に設けられ、各発光素子の位置に合わせて開孔部を有する遮光板とから構成された発光表示部を備えたものである。
【０００７】
この発明の請求項２に係る電子機器は、ケースの内部に電子機器本体部が収納されるとともに、ケースの内部に発光素子が前面側に実装されたプリント板が収納された電子機器において、ケースにおける各発光素子の前面側に設けられ、発光表示部全体に対応した開口部を有する表示部ケースと、透明材からなり、表示部ケースの前面側に設けられた表示パネルと、表示部ケースと表示パネルとの間に設けられ、各発光素子の位置に合わせて開孔部を有する遮光板と、表示部ケースと遮光板との間に設けられ、各発光素子の位置に合わせて開孔部を有するとともに、隣接する発光素子の光を遮断する導光板とから構成された発光表示部を備えたものである。
【発明の効果】
【０００８】
以上のようにこの発明の請求項１によれば、表示部ケースと表示パネルとの間に各発光素子の位置に合わせて開孔部を有する遮光板を設けたので、発光素子の位置が変更になった場合には簡易抜型で容易に製作できる遮光板を変更するだけでよく、表示部ケースや表示パネルに汎用性を持たせることができ、新たな成形金型の製造を不要とすることができ、コストダウンが可能となる。このため、発光表示部の形成が容易となり、生産量が少ない異種プリント板を内蔵する電子機器の生産が容易となる。又、新たな成形金型が不要であるので、表示部ケースや表示パネルをすべて樹脂により形成することができ、デザインの統一性を保持し、商品価値を高めることができる。
【０００９】
又、請求項２によれば、請求項１の効果に加えて、遮光板と導光板の併用により発光表示部の視認性を高めることができる。
【発明を実施するための最良の形態】
【００１０】
実施最良形態１
以下、この発明を実施するための最良の形態を図面とともに説明する。図１（ａ），（ｂ）はこの発明の実施最良形態１による電子機器の縦断側面図及び縦断正面図、図２（ａ），（ｂ）は図１（ａ）のＢ部拡大図及び遮光板の正面図、図３は発光表示部の分解斜視図を示す。樹脂製のケース１内には電子機器本体部２が収納されるとともに、前面側に発光素子４，８が実装されたプリント板３が収納される。９はケース１における各発光素子４，８の前面側に設けられた樹脂製の表示部ケースであり、発光表示部１２の全体に対応した開口部９ａを設ける。１０は透明な樹脂材からなる表示パネルであり、表示部ケース９の前面側に設けられ、その裏面側には遮光板１１の実装スペースｐが設けられる。１１は表示部ケース９と表示パネル１０との間に設けられた樹脂製の遮光板であり、各発光素子４，８の位置に合わせて開孔部１１ａを有する。そして、この表示部ケース９、表示パネル１０及び遮光板１１とにより発光表示部１２が構成される。遮光板１１は簡易抜型により容易に製作することができる。
【００１１】
実施最良形態１においては、各発光素子４，８の位置に合わせて開孔部１１ａを設けるのは、遮光板１１のみであり、遮光板１１は簡易抜型で容易に製作することができ、その変更は容易であり、表示部ケース９は発光表示部１２の全体に対応した開口部９ａが設けられているので、発光素子４，８の位置が変更されても表示部ケース９は開口部９ａの位置を変更する必要がなく、また表示パネル１０も開口部を持たないので、発光素子４，８の位置に対応して開口部の位置を変更する必要がなく、表示部ケース９及び表示パネル１０については、発光素子４，８の位置が変更されても、変更する必要がないので、新たな金型を製作する必要がない。このため、コストダウンが可能となり、また発光表示部１２の形成が容易となり、生産量が少ない異種プリント板３を内蔵する電子機器の生産が容易となる。又、新たな成形金型の製作が不要であるので、表示部ケース９や表示パネル１０をすべて樹脂により形成することができ、デザインの統一性を保持し、商品価値を高めることができる。
【００１２】
実施最良形態２
図４（ａ），（ｂ）はこの発明の実施最良形態２による電子機器の縦断側面図及び縦断正面図を示し、図５は図４（ａ）のＣ部拡大図を示す。樹脂製のケース１内には電子機器本体部２が収納されるとともに、前面側に発光素子４，８が実装されたプリント板３が収納される。ケース１における各発光素子４，８の前面側には樹脂製の表示部ケース９が設けられ、表示部ケース９は発光表示部１４の全体に対応した開口部９ａを有する。透明材からなる表示パネル１０は表示部ケース９の前面側に設けられ、表示パネル１０の裏面側には遮光板１１の実装スペースが設けられる。遮光板１１は表示部ケース９と表示パネル１０との間に設けられ、遮光板１１には各発光素子４，８の位置に合わせて開口部１１ａが設けられる。又、表示部ケース９と遮光板１１との間には導光板１３が設けられ、導光板１３は各発光素子４，８の位置に合わせて開孔部１３ａを有するとともに、隣接する発光素子４，８の光を遮断する。表示部ケース９、表示パネル１０、遮光板１１及び導光板１３により発光表示部１４が構成される。
【００１３】
実施最良形態２においては、表示部ケース９、表示パネル１０、遮光板１１及び導光板１３により発光表示部１４を構成しており、遮光板１１と導光板１３とを併用することにより、発光表示部１４の視認性を高めることができる。その他の効果は実施最良形態１と同様である。
【図面の簡単な説明】
【００１４】
【図１】この発明の実施最良形態１による電子機器の縦断側面図及び縦断正面図である。
【図２】図１（ａ）のＢ部拡大図及び遮光板の正面図である。
【図３】実施最良形態１による電子機器の発光表示部の分解斜視図である。
【図４】実施最良形態２による電子機器の縦断側面図及び縦断正面図である。
【図５】図４（ａ）のＣ部拡大図である。
【図６】従来の電子機器の縦断側面図及び縦断正面図である。
【図７】従来の電子機器の発光表示部の分解斜視図及び図６（ａ）のＡ部拡大図である。
【図８】（ａ），（ｂ）は従来の電子機器の種類が異なる発光素子を設けた場合の縦断側面図及び縦断正面図であり、（ｃ）は種類が異なる発光素子に合わせて表示部ケースを新規に成形し直した場合の縦断正面図である。
【符号の説明】
【００１５】
１…ケース
２…電子機器本体部
３…プリント板
４，８…発光素子
９…表示部ケース
９ａ，１１ａ…開口部
１０…表示パネル
１１…遮光板
１２，１４…発光表示部
１３…導光板
【図１】
2008203691.tif 000003
【図２】
2008203691.tif 000004
【図３】
2008203691.tif 000005
【図４】
2008203691.tif 000006
【図５】
2008203691.tif 000007
【図６】
2008203691.tif 000008
【図７】
2008203691.tif 000009
【図８】
2008203691.tif 000010